(57)【要約】【課題】本発明は、椅子の回転位置が椅子の中心より後方にズラした機構とすることによりテーブルに当接することなく椅子の反転を行うことができる回転式椅子を提供することを目的とするものである。【解決手段】本発明は、左右回転自在とされるターンテーブル３０と、基盤２上に、一体的に形成される座部９と背もたれ部１０が脚体４によって支持される椅子本体１とから構成され、ターンテーブル３０上に、椅子本体１の中心が該ターンテーブル３０の回転中心と異なるような状態で基盤２が取り付けられる。【選択図】図１
2009142364.tif 000002
【特許請求の範囲】
【請求項１】
回転自在に構成されたターンテーブルと、
該ターンテーブル上に取り付けられた基盤と、
該基盤上に取り付けられた椅子本体とを備える回転式椅子において、
前記椅子本体は、前記基盤上における前記ターンテーブルの回転中心とは異なる位置に取り付けられた
ことを特徴とする回転式椅子。
【請求項２】
前記椅子本体は、
座部と、
該座部と連設された背もたれ部と、
前記座部を支持する脚体とを備え、
前記座部と前記脚体との間に、長さ調整自在に構成された第１の伸縮支持杆が連結枢支された
ことを特徴とする請求項１記載の回転式椅子。
【請求項３】
前記座部の先端に前座部を連結枢支し、該前座部と前記脚体との間に、長さ調整自在に構成された第２の伸縮支持杆が連結枢支された
ことを特徴とする請求項２記載の回転式椅子。
【請求項４】
前記ターンテーブルの回転を停止するブレーキが前記基盤の裏面に設けられるとともに、該ブレーキの制御を行う制御部が前記椅子本体に座った状態で操作可能な位置に取り付けられた
ことを特徴とする請求項１、２または３記載の回転式椅子。
【発明の詳細な説明】
【技術分野】
【０００１】
本発明は回転式椅子に関する。詳しくはテーブルから椅子を引くことなく座ったままで向きを変えることができる回転式椅子に係るものである。
【背景技術】
【０００２】
高齢者あるいは身体の不自由な人がテーブル上での作業を行う場合には、本人が自力で椅子を後方に引きながら立ち上がることができないために、例えば図７に示されるような椅子が提案されている。この椅子は、安定して接地可能な脚体１０１とこの脚体１０１に支持された座１０２および背１０３とを具備するものであって、座１０２を脚体１０１に水平旋回可能に支持させ、背１０３を座１０２の後方およびいずれかの一側方において、脚体１０１に固定するように形成されるとともに、その上端を肘掛けとして使用できるような構成とされている（特許文献１参照）。
【０００３】
【特許文献１】特開２０００−１２５９７０号公報（要約書、第１図）
【発明の開示】
【発明が解決しようとする課題】
【０００４】
しかしながら前記椅子では、座のみが回転することで座ったままの状態で回転を行うものであるが、上半身をしっかり固定しておかなければ腰が回りやすくなり安定した座りが確保できない問題がある。
【０００５】
また、前記座に対しては垂直方向への荷重がかかるように常に水平状態で支持されるためにリクライニング機構を取り入れることができず、高齢者あるいは身体の不自由な人に対して正常な姿勢での着座を要求されることになる。
【０００６】
一方、リクライニング式の椅子を回転できる技術も提案されている。このリクライニング椅子は、図８に示すように脚体を中心に椅子本体１０５を回転できる機構とするものであるが、高齢者あるいは身体の不自由な人の場合にはテーブル１０６に椅子本体１０５をできるだけ近づけるために、椅子本体１０５を回転させて椅子本体１０５から立ち上がる場合に背もたれ１０７がテーブル１０６縁に当接して充分な回転が行えないためにテーブルから椅子を引かなければ立ち上がることができない問題がある。
【０００７】
本発明は、以上の点に鑑みて創案されたものであって、椅子の回転軸を椅子の中心よりズラすことによりテーブルに当接することなく椅子の回転を行うことができる回転式椅子を提供することを目的とするものである。
【課題を解決するための手段】
【０００８】
上記の目的を達成するために、本発明に係る回転式椅子は、回転自在に構成されたターンテーブルと、該ターンテーブル上に取り付けられた基盤と、該基盤上に取り付けられた椅子本体とを備える回転式椅子において、前記椅子本体は、前記基盤上における前記ターンテーブルの回転中心とは異なる位置に取り付けられている。
【０００９】
ここで、椅子本体が、ターンテーブルの回転中心とは異なる位置、すなわちテーブルに対して着座した場合に、ターンテーブルの回転中心よりテーブル側に椅子本体の中心が位置するように取り付けられることにより、椅子本体の背もたれ部がテーブルに当接するまでの回転角度を大きくとることが可能となることにより椅子本体に座った状態から立ち上がることが可能となる。
【００１０】
また、座部と脚体との間に、長さ調整自在に構成された第１の伸縮支持杆が連結枢支されることにより臀部と腰および背中がずれることなくリクライニングすることが可能となる。
【００１１】
また、前座部と脚体との間に、長さ調整自在に構成された第２の伸縮支持杆が連結枢支されることにより高齢者あるいは身体の不自由な人の足の屈曲に応じて所望の角度にて調整することが可能となる。
【００１２】
また、ターンテーブルの回転を停止するブレーキが基盤の裏面に設けられるとともに、ブレーキの制御を行う制御部が座部に座った状態で操作可能な位置に取り付けられることにより高齢者あるいは身体の不自由な人でも任意の位置での椅子本体の停止が可能となる。
【発明の効果】
【００１３】
本発明の回転式椅子によれば、椅子本体がターンテーブルの回転中心とは異なる位置に取付けられているために、テーブルに接した状態から回転角度を大きくとることができ、テーブルに邪魔されることなく座った状態から立ち上がることが可能となる。
【００１４】
また、座部と背もたれ部とが一体としてリクライニングすることにより臀部と腰および背中がずれることなく傾動することができ、常に頭位置を保持することが可能となる。
【００１５】
更に前座フレームを高齢者あるいは身体の不自由な人の足の屈曲に応じて所望の角度にて調整することが可能となることによりリクラニング機構と合せて高齢者あるいは身体の不自由な人が窮屈な姿勢をすることなく座ることが可能となる。
【発明を実施するための最良の形態】
【００１６】
以下、本発明の実施の形態を図面を参酌しながら説明し、本発明の理解に供する。
図１に、本発明を適用した回転式椅子の一例を説明するための側面図、図２に、本発明を適用した回転式椅子の一例を説明するための正面図、図３に、本発明を適用した回転式椅子の一例を説明するための平面図、図４に、本発明を適用した回転式椅子の一例を説明するための底面図を示す。
【００１７】
ここで示す回転式椅子は、回転自在な構成とされるターンテーブル３０と、このターンテーブル上に取り付けられる木製の基盤２と、この基盤上に取り付けられる椅子本体１とから構成される。
【００１８】
椅子本体１は、基盤２の左右側に脚体支持部３、３が立設され、これらの脚体支持部３、３に左右一対のスチール製角パイプより形成された脚体４、４がボルト・ナットなどの締結金具５によって締結固定されている。
【００１９】
これらの脚体４、４の下端には、金属製パイプより形成されるリクライニング支持フレーム６が横架され、その中央の前後位置にそれぞれ連結枢支部７が配置されている。
【００２０】
ここで、脚体４、４の上端には、座部と背もたれが一体的に折り曲げ形成された座部・背もたれフレーム８が回動自在な状態で連結枢支されている。これらの座部・背もたれフレーム８は、その先端手前において脚体４と枢支ピン２３によって連結枢支される座部９とこの座部９に対して略９０度の角度を持って折り曲げ形成される背もたれ部１０より構成されている。
【００２１】
また、座部・背もたれフレーム８の折り曲げ部分および上部には補助フレーム１１がそれぞれ横架されている。そしてこの座部・背もたれフレーム８の背もたれ部１０の中途に肘掛け部１２が取り付けられている。
【００２２】
この肘掛け部１２は、その基端下部に設けられる連結支持部１３の上下に沿って連結用ネジ孔１４が穿孔されると共に、連結支持部１３の下部には肘角度調整用ネジ孔１５が円弧状に複数個穿孔されている。そして座部・背もたれフレーム８の背もたれ部１０の中途に、その上下方向に沿って肘高さ調整用ネジ孔１６が穿孔されている。そこで肘掛け部１２の連結支持部１３の連結用ネジ孔１４と背もたれ部１０の肘高さ調整用ネジ孔１６とを合わせた状態で締結ネジ１７によって取り付けると共に、肘掛け部１２が水平状となるような連結支持部１３の肘角度調整用ネジ孔１５を選択し、この肘角度調整用ネジ孔１５と背もたれ部１０の肘高さ調整用ネジ孔１６とを合わせた状態で締結ネジ１７によって取り付けられている。
【００２３】
次に、座部・背もたれフレーム８の折り曲げ部分に横架される補助フレーム１１の中央部分に連結枢支部７Ａが取り付けられる。そして脚体４、４の下端に横架するリクライニング支持フレーム６の中央に設けられる連結枢支部７と補助フレーム１１の中央部分に設けられる連結枢支部７Ａを第１の伸縮支持杆１８によって連結枢支されている。
【００２４】
この第１の伸縮支持杆１８は、連結枢支部７、７Ａにそれぞれ連結枢支されるターンボルト１９、１９にターンバックル２０が螺合連結され、このターンバックル２０を回転させることによってターンボルト１９、１９が前後方向に移動し、その結果第１の支持ターンバックル１８全長長さを自在に調整できる機構とされている。
【００２５】
したがって、第１の伸縮支持杆１８全長長さを調整することにより座部・背もたれフレーム８のリクライニング角度を自在に調整することができるのである。
【００２６】
一方、座部・背もたれフレーム８の座部９の先端には、前座部２１が上下方向に回動自在な状態で連結枢支されている。そして前座部２１の先端側の裏面中央に連結枢支部７Ｂが配置され、この連結枢支部７Ｂと前記脚体４、４の下端に横架するリクライニング支持フレーム６の中央に設けられる連結枢支部７は第２の支持ターンバックル２２によって連結枢支されている。
【００２７】
したがって、第２の伸縮支持杆２２のターンバックル２０を回転させることによってターンボルト１９、１９が前後方向に移動し、その結果第２の伸縮支持杆２２全長長さを自在に調整でき、これにより前座部２１の角度調整を自在に行うことが可能となるのである。
【００２８】
なお、座部・背もたれフレーム８および前座フレーム２２には着脱自在とされる背シートおよび座シート（図示せず。）を取り付けられるものとする。これらのシートは、全体にメッシュ生地を採用し、背シート芯材は通気性、クッション性に優れた部材を使用し、座面の芯材はウレタン製と低反発ウレタンが使用されている。
【００２９】
次に、図４に示すように、基盤２はターンテーブル３０の回転中心Ｃより異なる位置、すなわちテーブルに対して着座する場合に、ターンテーブル３０の回転中心Ｃよりテーブル側に椅子本体１の中心が位置するように取り付けられ、更にターンテーブル３０よりはみ出した基盤２先端の両側裏面にはキャスター３９がそれぞれ取り付けられている。そこでターンテーブル３０は、図５に示すように、環状の固定枠３１内に、回転板３２を嵌め入れ、この固定枠３１の内周面と回転板３２との間にベアリング３３、３３、・・を配列し、回転盤３２を回転自在な機構とされている。
【００３０】
ここで、回転板３２に基盤２が固着されることによって固定枠３１が床面に載置された状態で回転板３２と基盤２が一体として回転する。そして基盤２の裏面には環状の固定枠３１の外周面に圧接可能とされるブレーキ３４が取り付けられており、ブレーキ３４は圧接パット３５および制御部３６とから構成され、圧接パットは制御部３６に取り付けられたバネなどの付勢力によって常時固定枠３１の外周面からは離れた状態とされている。
【００３１】
また、制御部３６には遠隔操作用ワイヤー３７の一端が連結され、その基端は座部・背もたれフレーム８の座部１０の一端に取り付けられる操作レバー３８に連結される。したがって、操作レバー３８によって遠隔操作用ワイヤー３７を引くことにより付勢力に抗しながら圧接パット３５が固定枠３１の外周面に圧接して椅子本体１の回転を停止させることが可能となるものである。
【００３２】
以上の構成よりなる本発明の回転式椅子では、図６（Ａ）（Ｂ）でそれぞれ示すように、テーブルに対して着座する場合に、椅子本体１はターンテーブル３０の回転中心Ｃよりテーブル側に椅子本体の中心が位置するように取り付けられ、テーブルＡに対して肘掛け部１２が当接する状態でテーブルＡ下部に椅子本体１が配置される。
【００３３】
ここで、図６（Ｂ）に示すように、椅子本体１を回転させる場合にはターンテーブル３０の回転中心Ｃに対して椅子本体１を公転させることになる。したがって、椅子本体１の回転半径が従来のように椅子の中心において回転させる場合に比べて大きくなり、椅子本体１の背もたれ部１０がテーブルＡに当接するまでの回転角度を大きくとることが可能となり、椅子本体１の回転を停止させ、椅子本体１に座った状態から立ち上がらせることが可能となるものである。
【００３４】
また、第１の伸縮支持杆１８を回転させることにより座部９と背もたれ部１０が一体として所望角度で傾動するとともに、第２の伸縮支持杆を回転させることにより前座部２１が高齢者あるいは身体の不自由な人の脚の屈曲に応じて所望の角度にて調整することができることで、全身が同一姿勢のまま傾動するティルトと、股関節を屈曲・伸展させつつ骨盤部、体幹部および頭部が傾動するリクライニングの両方に対応可能な機構とされるものである。
【００３５】
また、座った状態でターンテーブル３０の回転を座部９横に配置された制御部３６によって停止することができるために、高齢者あるいは身体の不自由な人でも任意の位置での停止が安全かつ、容易に行うことが可能となって安定した座り姿勢が確保できるとともに、立ち上がり、あるいは座り込みの際には停止した椅子本体、主に肘掛け部を手すりとして用いつつ安全な動作ができる。
【図面の簡単な説明】
【００３６】
【図１】本発明を適用した回転式椅子の一例を説明するための側面図である。
【図２】本発明を適用した回転式椅子の一例を説明するための正面図である。
【図３】本発明を適用した回転式椅子の一例を説明するための平面図である。
【図４】本発明を適用した回転式椅子の一例を説明するための底面図である。
【図５】図４における部分拡大説明図である。
【図６】本発明を適用した回転式椅子の作用説明図である。
【図７】従来の回転式椅子の一例を示す説明図である。
【図８】従来の回転式椅子の作用説明図である。
【符号の説明】
【００３７】
１      椅子本体
２      基盤
３      脚体支持部
４      脚体
５      締結金具
６      リクライニング支持フレーム
７      連結枢支部
８      座部・背もたれフレーム
９      座部
１０    背もたれ部
１１    支持フレーム
１２    肘掛け部
１３    連結支持部
１４    連結用ネジ孔
１５    肘角度調整用ネジ孔
１６    肘高さ調整用ネジ孔
１７    締結ネジ
１８    第１の伸縮支持杆
１９    ターンボルト
２０    ターンバックル
２１    前座部
２２    第２の伸縮支持杆
２３    枢支ピン
３０    ターンテーブル
３１    固定枠
３２    回転板
３３    ベアリング
３４    ブレーキ
３５    圧接パット
３６    制御部
３７    遠隔操作用ワイヤー
３８    操作レバー
３９    キャスター
【図１】
2009142364.tif 000003
【図２】
2009142364.tif 000004
【図３】
2009142364.tif 000005
【図４】
2009142364.tif 000006
【図５】
2009142364.tif 000007
【図６】
2009142364.tif 000008
【図７】
2009142364.tif 000009
【図８】
2009142364.tif 000010